(57)【要約】本発明は、コスト効率の良い画像表示用の壁取付器具に係る。壁取付器具は、画像表示を壁に取り付けるよう構成された２つの連結板を有し、ブラケットが壁と画像表示との間に約５０．８ミリメートル（約２インチ）より小さい隙間を与えるようにする。板のうち一方は、壁に取り付けられるよう設計され、他方は画像表示の後背部に貼り付けられる。画像表示は、２つの板を共に接続することによって壁に取り付けられ、２つの連結板は、面に沿って少なくとも２箇所において互いに接触する。
2007503618.tif 000002
【特許請求の範囲】
【請求項１】
画像表示に対する壁取付器具であって、
壁に取り付けられる第１の板と、
前記画像表示に取り付けられる第２の板と、
を有し、
前記画像表示は、前記第１及び第２の板を共に接続することによって前記壁に取り付けられ、各板は少なくとも２箇所において互いに接触する、
壁取付器具。
【請求項２】
前記第１の板及び前記第２の板の少なくとも一方は、角度を成す部分と、前記角度を成す部分から離れて延びる平らな部分とを有する、
請求項１記載の壁取付器具。
【請求項３】
前記第１の板及び前記第２の板の少なくとも一方は、角度を成す部分と、平らな部分と、バックストップ部とを有する、
請求項１記載の壁取付器具。
【請求項４】
前記バックストップ部は、前記角度を成す部分と前記平らな部分との間で延びる、
請求項３記載の壁取付器具。
【請求項５】
前記第１の板は、細長い区分を有するよう構成され、前記細長い区分は、前記第２の板の対応する細長い区分と接触する、
請求項１記載の壁取付器具。
【請求項６】
前記第１の板及び前記第２の板のうち一方は、側側調整を可能とするよう他方より長い、
請求項１記載の壁取付器具。
【請求項７】
前記第１の板および前記第２の板のうち一方は、２つ又はそれ以上のエンドストップ部を有する、
請求項１記載の壁取付器具。
【請求項８】
壁取付器具を有するディスプレイ・システムであって、
壁に取り付けられる第１の板と、
前記画像表示に取り付けられる第２の板と、
を有し、
前記画像表示は、前記第１及び第２の板を共に接続することによって前記壁に取り付けられ、各板は少なくとも２箇所において互いに接触する、
ディスプレイ・システム。
【請求項９】
前記第１の板及び前記第２の板の少なくとも一方は、角度を成す部分と、前記角度を成す部分から離れて延びる平らな部分とを有する、
請求項８記載のディスプレイ・システム。
【請求項１０】
前記第１の板及び前記第２の板の少なくとも一方は、角度を成す部分と、平らな部分と、バックストップ部とを有する、
請求項８記載のディスプレイ・システム。
【請求項１１】
前記バックストップ部は、前記角度を成す部分と前記平らな部分との間で延びる、
請求項１０記載のディスプレイ・システム。
【請求項１２】
前記第１の板は、細長い区分を有するよう構成され、前記細長い区分は、前記第２の板の対応する細長い区分と接触する、
請求項８記載のディスプレイ・システム。
【請求項１３】
前記第１の板及び前記第２の板のうち一方は、側側調整を可能とするよう他方より長い、
請求項８記載のディスプレイ・システム。
【請求項１４】
前記第１の板および前記第２の板のうち一方は、２つ又はそれ以上のエンドストップ部を有する、
請求項８記載のディスプレイ・システム。
【発明の詳細な説明】
【技術分野】
【０００１】
本発明は、画像表示を対象とし、特には画像表示壁取付ブラケットを対象とする。
【背景技術】
【０００２】
市販されている従来の画像表示壁取付ブラケットは、高額であり、非常に重く使用しにくいものである。該ブラケットによると、ユニットと壁との間の隙間が約５０．８ミリメートル（約２インチ）より小さい場合、顧客は、薄型テレビジョンディスプレイ（又はモニタ）を壁に取り付けることができない。
【０００３】
全てではないが殆どの現在の壁取付ブラケットは、画像表示取付ブラケットと壁取付ブラケットが接合し次第、それらを共に係止するよう最終調整を行うことを、顧客に求める。この接合の機能は、一式を壁から落ちないよう作動されなければならない。また、壁取付ブラケットの中には、組立てが複雑であり且つ高額である溶接された部分組立品で作られるものもある。追加的には、該ブラケットの中には、画像表示（又はモニタ）に取り付ける前に、顧客が正確な寸法に部品を組み立てることを求められる複数の部品を有するものもある。
【発明の開示】
【発明が解決しようとする課題】
【０００４】
本発明は、コスト効率の良い画像表示用の壁取付器具に係る。
【課題を解決するための手段】
【０００５】
該壁取付器具は、画像表示を壁に取り付けるよう構成された２つの連結板を有し、ブラケットは、壁と画像表示との間に約５０．８ミリメートル（約２インチ）より小さい隙間を与えるようにされる。板のうち一方は、壁に取り付けられるよう設計され、他方は画像表示の後背部に貼り付けられる。画像表示は、２つの板を共に接続することによって壁に取り付けられ、２つの連結板は、面に沿って少なくとも２箇所において互いに接触する。
【発明を実施するための最良の形態】
【０００６】
本発明は、添付の図面を参照して以下に詳細に説明される。
【０００７】
本発明は、コスト効率の良い画像表示用の壁取付器具に係る。該壁取付器具は、壁取付器具は、画像表示を壁に取り付けるよう構成された少なくとも２つの連結板を有し、ブラケットが壁と画像表示との間に約５０．８ミリメートル（約２インチ）より小さい隙間を与えるようにする。板のうち一方は、壁に取り付けられるよう設計され、他方は画像表示の後背部に貼り付けられる。画像表示は、２つの板を共に接続することによって壁に取り付けられ、２つの連結板が面に沿って少なくとも２箇所において互いに接触するようにする。
【０００８】
連結板は、例えば金属（スチール、アルミニウム（Ａｌ））又はプラスチック等の材料で、変形することなく約９０．７２キログラム（約２００ポンド）までの重量を支持するよう十分な強度を有して形成されるべきである。連結板は、とりわけ、例えば板金成形、ロール成形、ダイカスト及び押出し成形等のいずれかの適切な工程を使用して作られ得る。
【０００９】
図１Ａ乃至１Ｄを参照すると、連結板は、型打ちした板金部品から作られ得る。連結板の一方２は、画像表示（テレビジョン）の後背部に取り付けられるよう設計され、連結板の他方４は、壁に取り付けられるよう設計される（図１Ａ）。連結板２は、画像表示の後背部から離れて固定された距離を延びる部分８を有し、壁から離れて固定された距離を延びる連結板４の部分７と連結し、連結板２が連結板４に取り付けられる際、約５０．８ミリメートル（約２インチ）であるディスプレイと壁との間の空隙を定義付ける。部分７，８は、同一又は異なる長さを有し得る。連結板２はまた、連結板２が連結板４に取り付けられる際に連結板４の部分７の面の範囲に接触する接続部分１０を有する（図１Ｄ）。
【００１０】
画像表示を壁に取り付けるよう、連結板２は、連結板４に対して位置付けられる（図１Ｂ）。連結板２に取り付けられた画像表示の重量を徐々に解放すること（図１Ｃ）、並びに、重さを接収させることで、連結板４上に連結板２を置き壁から離れて固定された距離に画像表示を保持する（図１Ｄ）。画像表示は、２つの連結板２，４を共に接続することによって壁に取り付けられ、２つの連結板２，４が面に沿って少なくとも２箇所において互いに接触する（例えば、図１Ｄ中、連結板２の接続部分１０は、部分７の面の範囲に接触し、接続部分９は、部分８の面の範囲に接触する）。接続部分９，１０の入口の隙間は、２つの板２，４を共に容易に連結させる。
【００１１】
連結板２，４により、画像表示がディスプレイの下方端部が壁にぶつかるまで回転することが可能となる。この機能は、ディスプレイに対して下方向への角度が小さいことを望む人に対応する。ディスプレイを壁に対して平行に位置を合わせることを望む人に対しては、ディスプレイと壁との間の空隙と略同一の厚さであるバンパーが、ディスプレイの下端部で又は下端部の近くで画像表示と壁との間に置かれ得る。
【００１２】
図１Ａ乃至図１Ｄ中に図示された実施例に対し、連結板４の部分７は平らであり、壁から離れて垂直に延びる。あるいは、連結板４は、壁から離れて延びる角度を成す部分及び角度を成す部分から離れて延びる平らな部分を有し得る（図３Ａ乃至３Ｄ）。あるいは、連結板４はまた、平らな部分、角度を成す部分、及びバックストップ部分を有し得る（図２Ａ乃至２Ｄ）。
【００１３】
図４Ａ乃至４Ｄ，図５Ａ乃至５Ｄ，及び図６Ａ乃至６Ｄを参照すると、連結板２，４は、あるいは、細長い区分１５，２０を有するよう構成され得、該区分に沿って板２，４は、画像モニタ及び壁に夫々更に取り付けられ得る。
【００１４】
図７Ａ乃至７Ｄを参照すると、連結された板の前面図、背面図、及び側面図が図示される。図示された板２は、画像表示に対する側側調整を可能とするよう板４より長さにおいて長くあり得る。追加的には、図８を参照すると、板２上のエンドストップ部３０は、画像表示がブラケットから横方向に滑り出さないようにする。
【００１５】
更には、図面は、画像表示を壁に貼り付けるよう使用されるブラケットを一式のみ図示するが、一式より多くが使用され得ることも意図される。
【図面の簡単な説明】
【００１６】
【図１Ａ】本発明の連結ブラケットの一実施例の断面図であり、壁に取り付けられた画像表示を図示する。
【図１Ｂ】本発明の連結ブラケットの一実施例の断面図である。
【図１Ｃ】本発明の連結ブラケットの一実施例の断面図である。
【図１Ｄ】本発明の連結ブラケットの一実施例の断面図である。
【図２Ａ】本発明の連結ブラケットの他の一実施例の断面図であり、壁に取り付けられた画像表示を図示する。
【図２Ｂ】本発明の連結ブラケットの他の一実施例の断面図である。
【図２Ｃ】本発明の連結ブラケットの他の一実施例の断面図である。
【図２Ｄ】本発明の連結ブラケットの他の一実施例の断面図である。
【図３Ａ】本発明の連結ブラケットの他の一実施例の断面図であり、壁に取り付けられた画像表示を図示する。
【図３Ｂ】本発明の連結ブラケットの他の一実施例の断面図である。
【図３Ｃ】本発明の連結ブラケットの他の一実施例の断面図である。
【図３Ｄ】本発明の連結ブラケットの他の一実施例の断面図である。
【図４Ａ】本発明の連結ブラケットの他の一実施例の断面図であり、壁に取り付けられた画像表示を図示する。
【図４Ｂ】本発明の連結ブラケットの他の一実施例の断面図である。
【図４Ｃ】本発明の連結ブラケットの他の一実施例の断面図である。
【図４Ｄ】本発明の連結ブラケットの他の一実施例の断面図である。
【図５Ａ】本発明の連結ブラケットの他の一実施例の断面図であり、壁に取り付けられた画像表示を図示する。
【図５Ｂ】本発明の連結ブラケットの他の一実施例の断面図である。
【図５Ｃ】本発明の連結ブラケットの他の一実施例の断面図である。
【図５Ｄ】本発明の連結ブラケットの他の一実施例の断面図である。
【図６Ａ】本発明の連結ブラケットの他の一実施例の断面図であり、壁に取り付けられた画像表示を図示する。
【図６Ｂ】本発明の連結ブラケットの他の一実施例の断面図である。
【図６Ｃ】本発明の連結ブラケットの他の一実施例の断面図である。
【図６Ｄ】本発明の連結ブラケットの他の一実施例の断面図である。
【図７Ａ】本発明の連結されたブラケットの前面図である。
【図７Ｂ】本発明の連結されたブラケットの背面図である。
【図７Ｃ】本発明の連結されたブラケットの側面図である。
【図７Ｄ】本発明の連結されたブラケットの側面図である。
【図８】図７Ｂ中に図示された連結されたブラケットの一部分の拡大図である。
【図１Ａ】
2007503618.tif 000003
【図１Ｂ】
2007503618.tif 000004
【図１Ｃ】
2007503618.tif 000005
【図１Ｄ】
2007503618.tif 000006
【図２Ａ】
2007503618.tif 000007
【図２Ｂ】
2007503618.tif 000008
【図２Ｃ】
2007503618.tif 000009
【図２Ｄ】
2007503618.tif 000010
【図３Ａ】
2007503618.tif 000011
【図３Ｂ】
2007503618.tif 000012
【図３Ｃ】
2007503618.tif 000013
【図３Ｄ】
2007503618.tif 000014
【図４Ａ】
2007503618.tif 000015
【図４Ｂ】
2007503618.tif 000016
【図４Ｃ】
2007503618.tif 000017
【図４Ｄ】
2007503618.tif 000018
【図５Ａ】
2007503618.tif 000019
【図５Ｂ】
2007503618.tif 000020
【図５Ｃ】
2007503618.tif 000021
【図５Ｄ】
2007503618.tif 000022
【図６Ａ】
2007503618.tif 000023
【図６Ｂ】
2007503618.tif 000024
【図６Ｃ】
2007503618.tif 000025
【図６Ｄ】
2007503618.tif 000026
【図７Ａ】
2007503618.tif 000027
【図７Ｂ】
2007503618.tif 000028
【図７Ｃ】
2007503618.tif 000029
【図７Ｄ】
2007503618.tif 000030
【図８】
2007503618.tif 000031
【国際調査報告】
2007503618.tif 000032